(57)【要約】【課題】受信したコンテンツに対して操作入力を行う際の、操作利便性を向上したコンテンツ受信装置を提供する。【解決手段】コンテンツデータを配信する配信局とネットワークを介して接続され、コンテンツデータを受信するコンテンツ受信装置であって、ユーザからの操作入力を受付ける入力手段と、前記配信局から配信されるコンテンツデータを受信する受信手段と、前記受信手段が受信したコンテンツデータの記述を解釈する解釈手段と、前記解釈手段が解釈したコンテンツデータの記述を操作入力に適した記述に変換する変換手段と、前記変換手段が変換によって生成したコンテンツデータに対応するコンテンツを表示する表示手段とを備える。【選択図】図１
2007104011.tif 000002
【特許請求の範囲】
【請求項１】
コンテンツデータを配信する配信局とネットワークを介して接続され、コンテンツデータを受信するコンテンツ受信装置であって、
ユーザからの操作入力を受付ける入力手段と、
前記配信局から配信されるコンテンツデータを受信する受信手段と、
前記受信手段が受信したコンテンツデータの記述を解釈する解釈手段と、
前記解釈手段が解釈したコンテンツデータの記述を操作入力に適した記述に変換する変換手段と、
前記変換手段が変換によって生成したコンテンツデータに対応するコンテンツを表示する表示手段とを備えるコンテンツ受信装置。
【請求項２】
前記変換手段は、前記解釈手段が解釈したコンテンツデータの記述のうち、アイコンに対応する記述を変換することを特徴とする請求項１に記載のコンテンツ受信装置。
【請求項３】
前記変換手段は、コンテンツデータの記述中のアイコンのサイズの記述を参照し、サイズが所定の閾値以下である場合に、変換することを特徴とする請求項２に記載のコンテンツ受信装置。
【請求項４】
車載装置であることを特徴とする請求項１〜３のいずれかに記載のコンテンツ受信装置。
【請求項５】
コンテンツデータを配信する配信局とネットワークを介して接続され、コンテンツデータを受信するコンテンツ受信装置のコンピュータによって実行されるコンテンツ変換プログラムであって、
前記コンピュータに、
ユーザからの操作入力を入力手段を通じて受付ける入力ステップと、
配信局から配信されるコンテンツデータを受信手段を通じて受信する受信ステップと、
受信したコンテンツデータの記述を解釈する解釈ステップと、
解釈したコンテンツデータの記述を操作入力に適した記述に変換する変換ステップと、
変換によって生成したコンテンツデータに対応するコンテンツを表示手段に表示させる表示制御ステップとを実行させるためのコンテンツ変換プログラム。
【発明の詳細な説明】
【技術分野】
【０００１】
本発明は、コンテンツ受信装置及びコンテンツ変換プログラムに関し、より特定的には、衛星デジタル放送や地上デジタル放送等に関わるコンテンツ受信装置及びコンテンツ変換プログラムに関する。
【背景技術】
【０００２】
衛星デジタル放送や地上デジタル放送等のコンテンツデータ配信では、ＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）と呼ばれるＩＳＯ（国際標準化機構）１３８１８の技術が採用されている。ＭＰＥＧ２では、符号化された映像や音声をパケット化し、伝送に適した固定長のＴＳ（Ｔｒａｎｓｐｏｒｔ  Ｓｔｒｅａｍ）の形式、すなわち、ＭＰＥＧ−ＴＳ信号で配信を行う。
【０００３】
ＭＰＥＧ−ＴＳ信号で配信されるデータは、ＢＭＬ（Ｂｒｏａｄｃａｓｔ  Ｍａｒｋｕｐ  Ｌａｎｇｕａｇｅ）と呼ばれる文書記述言語を用いて記述される。ＢＭＬが用いられることによって、画面表示制御が可能となると共に、リンク、タイトル及び本文の表現やユーザインターフェース（例えば、リンクアイコン）等の規定が可能となる。
【０００４】
このＢＭＬで記述されたデータで配信されるコンテンツは、家庭用テレビで受信され、画面に表示されることを想定している。このため、例えば、ユーザがリンクを選択する際の操作入力は、リモコン操作によって、所望のリンクアイコンが選択入力されることによって行われる。
【０００５】
ところで、このようなＢＭＬで記述されたデータで配信されるコンテンツが、カーナビゲーション等のコンテンツ受信装置で受信され、画面に表示される場合を考慮する。この場合、ドライバーは、コンテンツを表示した画面とリモコンとを交互に確認して、操作入力を行うこととなる。しかしながら、運転中にこのようなリモコン操作を行うことは、ドライバーにとって、危険を伴う作業である。
【０００６】
そこで、従来、このような危険を伴うリモコン操作を要さずに、操作入力が可能なコンテンツ受信装置が提案されている。このコンテンツ受信装置では、コンテンツを表示した画面の表面上に接触することによって、操作入力が可能なタッチパネルを採用している。このようなタッチパネルが採用されることで、ドライバーは、コンテンツを表示した画面の確認と操作入力とを同時に行うことが可能となり、操作入力に伴う危険が低減される（例えば、特許文献１）。
【特許文献１】特開２００４−１４０８１１号公報
【発明の開示】
【発明が解決しようとする課題】
【０００７】
しかしながら、上述した従来のコンテンツ受信装置においては、タッチパネルの操作ボタンのサイズが考慮されていない。デジタル放送は、家庭用の大きな画面のテレビで表示されることを想定しているため、ナビゲーション装置の小さな画面で表示する場合は、指先の大きさが操作ボタンのサイズよりも大きくなり、ユーザの意図した操作ボタンと異なる操作ボタンが、操作入力されてしまう可能性が高い。
【０００８】
本発明は、このような問題に鑑みてなされた。すなわち、受信したコンテンツに対して操作入力を行う際の、操作利便性を向上したコンテンツ受信装置及びコンテンツ変換プログラムを提供することを目的とする。
【課題を解決するための手段】
【０００９】
本発明は、コンテンツデータを配信する配信局とネットワークを介して接続され、コンテンツデータを受信するコンテンツ受信装置を前提としている。本発明は、ユーザからの操作入力を受付ける入力手段と、前記配信局から配信されるコンテンツデータを受信する受信手段と、前記受信手段が受信したコンテンツデータの記述を解釈する解釈手段と、前記解釈手段が解釈したコンテンツデータの記述を操作入力に適した記述に変換する変換手段と、前記変換手段が変換によって生成したコンテンツデータに対応するコンテンツを表示する表示手段とを備える構成としている。
【００１０】
これにより、受信したコンテンツに対して操作入力を行う際の、操作利便性を向上したコンテンツ受信装置を提供することができる。
【００１１】
なお、前記変換手段は、前記解釈手段が解釈したコンテンツデータの記述のうち、アイコンに対応する記述を変換する構成としてもよい。
【００１２】
なお、前記変換手段は、コンテンツデータの記述中のアイコンのサイズの記述を参照し、サイズが所定の閾値以下である場合に、変換する構成としてもよい。なお、車載装置である構成としてもよい。
【００１３】
本発明は、コンテンツデータを配信する配信局とネットワークを介して接続され、コンテンツデータを受信するコンテンツ受信装置のコンピュータによって実行されるコンテンツ変換プログラムを前提としている。本発明は、前記コンピュータに、ユーザからの操作入力を入力手段を通じて受付ける入力ステップと、配信局から配信されるコンテンツデータを受信手段を通じて受信する受信ステップと、受信したコンテンツデータの記述を解釈する解釈ステップと、解釈したコンテンツデータの記述を操作入力に適した記述に変換する変換ステップと、変換によって生成したコンテンツデータに対応するコンテンツを表示手段に表示させる表示制御ステップとを実行させる構成としている。
【００１４】
これにより、受信したコンテンツに対して操作入力を行う際の、操作利便性を向上したコンテンツ変換プログラムを提供することができる。
【発明の効果】
【００１５】
本発明は、実施の形態から明らかなように、受信したコンテンツに対して操作入力を行う際の、操作利便性を向上したコンテンツ受信装置及びコンテンツ変換プログラムを提供することができる。
【発明を実施するための最良の形態】
【００１６】
以下、本発明の一実施形態に係るコンテンツ受信装置としての車載装置について、図面を参照しながら説明する。
【００１７】
図１は、車載装置１００がネットワーク１１０を介して配信局１２０と接続された全体システム構成を示す模式図である。図１において、車載装置１００は、自動車内に配置される。配信局１２０は、任意の場所に設置される。また、ネットワーク１１０は、例えば、インターネットであるが、これに限らず他のネットワークでもよい。
【００１８】
次に、車載装置１００及び配信局１２０の内部の構成について、図２を用いて説明する。図２に示すように、車載装置１００は、制御部２０１、通信部２０２、ＤＡＣ２０３、スピーカ２０４、表示モニタ２０５、描画ＬＳＩ２０６、入力部２０７、記憶部２０８、解釈部２０９及び変換部２１０を備えている。
【００１９】
制御部２０１は、車載装置１００の装置全体の処理を制御する。通信部２０２は、ネットワーク１１０を介して、配信局１２０と通信する、例えば、携帯電話である。なお、通信部２０２は、携帯電話に限らず、ＰＨＳや無線ＬＡＮ、ＤＳＲＣ（Ｄｅｄｉｃａｔｅｄ  Ｓｈｏｒｔ  Ｒａｎｇｅ  Ｃｏｍｍｕｎｉｃａｔｉｏｎ：狭帯域無線通信）の通信方式で接続されるインターフェイスであってもよいし、いずれかの組合せであってもよい。
【００２０】
ＤＡＣ２０３は、コンテンツデータをスピーカ２０４へ出力するために、制御部２０１の制御に基づき、デジタル音声データをアナログ音声信号へ変換する回路である。なお、図２では、説明を簡略化するために、ＤＡＣ２０３とスピーカ２０４の間で、アンプを省略している。
【００２１】
表示モニタ２０５は、通信部２０２で受信したコンテンツデータに対応するコンテンツを表示する。描画ＬＳＩ２０６は、制御部２０１に制御に基づき、コンテンツデータに対応するコンテンツを表示モニタ２０５に表示させるために、コンテンツデータを描画データに変換する回路である。
【００２２】
入力部２０７は、ユーザからの入力を受付ける、タッチパネル等の操作デバイスである。ユーザは、この入力部２０７付きの表示モニタ２０５に表示されるコンテンツを見ながら、入力部２０７を用いて、例えば、アイコンを選択入力する。
【００２３】
記憶部２０８は、ストリーミングを行うために、データを一時記憶したり、車載装置１００全体の処理を司るプログラムの実行のために使用される。解釈部２０９は、通信部２０２で受信したコンテンツデータの記述を解釈する。例えば、コンテンツデータがＢＭＬで記述されているならば、解釈部２０９はＢＭＬ記述を解釈する。
【００２４】
変換部２１０は、解釈部２０９が解釈した記述を操作入力に適した記述に変換する。なお、表示モニタ２０５及び入力部２０７は、車載装置１００の内部に設けられる構成としたが、車載装置１００の外部に設けてもよい。
【００２５】
また、配信局１２０は、制御部２１１、通信部２１２及び記憶部２１３を備えている。制御部２１１は、配信局１２０全体の処理を制御する。通信部２１２は、ネットワーク１１０を介して、車載装置１００と通信する。記憶部２１３は、配信するデジタル放送のコンテンツデータを記憶している、例えば、ＨＤＤ（ハードディスク）である。
【００２６】
次に、本発明の実施の形態に係るコンテンツ受信装置としての車載装置の動作について、図３のフロー図を用いて説明する。
【００２７】
ユーザが、車載装置１００の電源をオンすると（ステップＳ３０１）、配信局１２０から配信されるデジタル放送のコンテンツデータが、通信部２０２により受信される（ステップＳ３０２）。ここでは、ＢＭＬで記述されたコンテンツデータが受信されるものとし、このコンテンツデータに対応するコンテンツは、表示モニタ２０５に表示された場合、図４に示すように、左側に本文が表示され、右側にアイコンＡ〜Ｆが表示されるコンテンツであると仮定する。
【００２８】
車載装置１００の解釈部２０９は、配信局１２０から配信されたコンテンツデータが受信されると、通信部２０２が受信したコンテンツデータのＢＭＬ記述を解釈する（ステップＳ３０３）。変換部２１０は、コンテンツデータのＢＭＬ記述が解釈されると、この解釈されたＢＭＬ記述を操作入力に適したＢＭＬ記述に変換する（ステップＳ３０４）。
【００２９】
ステップＳ３０４の変換処理では、図５に示すように、解釈されたＢＭＬ記述から、＜ｓｔｙｌｅ＞＜！ＣＤＡＴＡ［＃ｓｔａｔｕｓ｛ｌｅｆｔ：２５ｐｘ；ｔｏｐ：５０ｐｘ；ｗｉｄｔｈ：１００ｐｘ；ｈｅｉｇｈｔ：２５ｐｘ；ｆｏｎｔ−ｓｉｚｅ：２０ｐｘ；ｂａｃｋｇｒｏｕｎｄ−ｃｏｌｏｒ−ｉｎｄｅｘ：６；｝］＞＜／ｓｔｙｌｅ＞等のＢＭＬ記述が検出された場合、検出されたＢＭＬ記述は、図６に示すように、＜ｓｔｙｌｅ＞＜！ＣＤＡＴＡ［＃ｓｔａｔｕｓ｛ｌｅｆｔ：２００ｐｘ；ｔｏｐ：１００ｐｘ；ｗｉｄｔｈ：１００ｐｘ；ｈｅｉｇｈｔ：１００ｐｘ；ｆｏｎｔ−ｓｉｚｅ：３０ｐｘ；ｂａｃｋｇｒｏｕｎｄ−ｃｏｌｏｒ−ｉｎｄｅｘ：６；｝］＞＜／ｓｔｙｌｅ＞のＢＭＬ記述に変換される。
【００３０】
上記したｌｅｆｔ：２００ｐｘの記述は、アイコンが表示モニタ２０５に表示された場合の表示領域における左右方向の位置を示す記述であり、ｔｏｐ：１００ｐｘの記述は、アイコンが表示モニタ２０５に表示された場合の表示領域における上下方向の位置を示す記述である。また、ｗｉｄｔｈ：１００ｐｘの記述は、アイコンの左右方向のサイズを示す記述であり、ｈｅｉｇｈｔ：１００ｐｘの記述は、アイコンの上下方向のサイズを示す記述である（図７参照）。また、ｆｏｎｔ−ｓｉｚｅ：３０ｐｘの記述は、アイコンを識別するための文字のフォントサイズを示す記述である。
【００３１】
これは、コンテンツのアイコンの位置、アイコンのサイズ及びアイコンを識別するための文字のフォントサイズに対応するＢＭＬ記述が、操作入力に適した所定のパラメータ値で記述されたＢＭＬ記述に変換されることを示している。この所定のパラメータ値は、表示モニタ２０５に表示されるコンテンツのアイコンと入力部２０７の操作ボタンとが、位置及びサイズにおいて一致する値である。
【００３２】
この変換によって生成されたコンテンツデータに対応するコンテンツは、表示モニタ２０５に表示された場合、図８に示すように、左側に本文が表示され、右側に操作入力に適したアイコンＡ〜Ｆが行列状に配列されて表示される（ステップＳ３０５）。
【００３３】
すなわち、入力部２０７の操作ボタンと表示モニタ２０５に表示されるコンテンツのアイコンとが一致し、ユーザにとって操作入力が分りやすいと共に、ユーザが操作入力を誤ることがない。これにより、受信したコンテンツに対して操作入力を行う際の、操作利便性を向上できる。
【００３４】
車載装置１００の制御部２０１は、変換部２１０が変換によって生成したコンテンツが、表示モニタ２０５に表示されると、電源がオフされたか否かを判定する（ステップＳ３０６）。
【００３５】
ステップＳ３０６において、電源がオフされたと判定された場合、処理が終了される。一方、電源がオフされていないと判定された場合、ステップＳ３０２の処理に戻り、配信局１２０から配信されてくるデジタル放送のコンテンツデータが、通信部２０２により受信され、以下上述と同様の処理が行われる。
【００３６】
なお、変換部２１０は、解釈部２０９が解釈したＢＭＬ記述中のアイコンのサイズの記述を参照して、サイズが所定の閾値以下である場合に、変換する構成としてもよい。例えば、上下方向のサイズの閾値を標準的な人の第一関節の長さとし、左右方向のサイズの閾値を標準的な人の指の幅とすればよい。すなわち、アイコンのサイズが、指の大きさに対応する。これにより、受信したコンテンツに対して操作入力を行う際の、操作利便性を向上できる。
【００３７】
また、上記実施の形態では、操作デバイス（入力部２０７）がタッチパネルである場合について説明したが、この場合に限定されない。操作デバイスが、例えば、回転させることによって操作を行うような回転デバイスである場合もある。この場合、変換部２１０の変換によって生成されたコンテンツデータに対応するコンテンツは、表示モニタ２０５に表示された場合、図９に示すように、左側に本文が表示され、右側に操作入力に適したアイコンＡ〜Ｆが湾曲状に配列されて表示される。すなわち、コンテンツのアイコンは、回転デバイスの回転操作方向に対応するように表示される。
【００３８】
例えば、右回転の操作方向に対応する場合は、右に凸の湾曲状に配列されて表示され、左回転の操作方向に対応する場合は、左に凸の湾曲状に配列されて表示される。すなわち、回転デバイスの回転操作方向と、表示モニタ２０５に表示されるコンテンツのアイコンの配列方向とが一致し、操作入力がユーザにとって分りやすい。これにより、受信したコンテンツに対して操作入力を行う際の、操作利便性を向上できる。
【００３９】
また、操作デバイスが、例えば、携帯電話である場合、コンテンツのアイコンは、携帯電話のテンキーに対応するように表示される構成としてもよい。
【００４０】
また、車載装置１００が受信するコンテンツデータは、ＢＭＬで記述されたものに限らず、ＨＴＭＬ（Ｈｙｐｅｒ  Ｔｅｘｔ  Ｍａｒｋｕｐ  Ｌａｎｇｕａｇｅ）等のマークアップ言語で記述されたものであってもよい。
【００４１】
また、本発明は、上述した実施の形態を実現するソフトウェアのプログラム（実施の形態では図に示すフロー図に対応したプログラム）が装置に供給され、その装置のコンピュータが、供給されたプログラムを読出して、実行することによっても達成させる場合を含む。したがって、本発明の機能処理をコンピュータで実現するために、コンピュータにインストールされるプログラム自体も本発明を実現するものである。つまり、本発明は、本発明の機能処理を実現させるためのコンテンツ変換プログラムも含む。
【００４２】
なお、車載装置の複数種の操作デバイスに対応するように記述されたコンテンツデータが、予め、配信局１２０側で用意され、受信するコンテンツデータを車載装置側で選択する構成としてもよい。この場合、タッチパネル、回転デバイス及びテンキー等の操作デバイスに対応するコンテンツデータが選択される。なお、このとき、車載装置１００の操作デバイスＩＤに基づいて、自動的にコンテンツデータが選択される構成としてもよいし、ユーザが、操作デバイスに応じて、コンテンツデータを選択入力することによって選択する構成としてもよい。
【００４３】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００４４】
本発明に係るコンテンツ受信装置は、カーナビゲーション、カーオーディオ等の車載機器として有用である。
【図面の簡単な説明】
【００４５】
【図１】本発明の実施の形態に係る車載装置がネットワークを介して配信局に接続された全体システム構成を示す模式図
【図２】本発明の実施の形態に係る車載装置及び配信局の構成の一例を示すブロック図
【図３】本発明の実施の形態に係る車載装置の動作を示すフロー図
【図４】配信されるコンテンツデータに対応するコンテンツの変換前の表示一例を示す図
【図５】配信されるコンテンツデータの変換前ＢＭＬソースの一例を示す図
【図６】配信されるコンテンツデータの変換後ＢＭＬソースの一例を示す図
【図７】コンテンツのアイコンの変換例を示す模式図
【図８】配信されるコンテンツデータに対応するコンテンツの変換後の表示一例を示す図
【図９】配信されるコンテンツデータに対応するコンテンツの変換後の表示一例を示す図
【符号の説明】
【００４６】
１００  車載装置
１１０  ネットワーク
１２０  配信局
２０１  制御部
２０２  通信部
２０３  ＤＡＣ
２０４  スピーカ
２０５  表示モニタ
２０６  描画ＬＳＩ
２０７  入力部
２０８  記憶部
２０９  解釈部
２１０  変換部
２１１  制御部
２１２  通信部
２１３  記憶部
【図１】
2007104011.tif 000003
【図２】
2007104011.tif 000004
【図３】
2007104011.tif 000005
【図４】
2007104011.tif 000006
【図５】
2007104011.tif 000007
【図６】
2007104011.tif 000008
【図７】
2007104011.tif 000009
【図８】
2007104011.tif 000010
【図９】
2007104011.tif 000011